(57)【要約】【課題】  薬剤の問題点の把握を容易に行うことができる薬剤の問題点情報提供システムを提供する。【解決手段】  クライアント端末１及び問題情報サーバー３により薬剤の問題点情報を提供する薬剤の問題点情報提供システムであって、クライアント端末は薬剤情報送信手段と備え、問題点情報サーバーはＳデータ５、Ｏデータ６、重大問題点データ７、問題点情報検索手段８、重大問題点情報検索手段９、検索結果出力手段１０を備える。【選択図】    図１
2005122244.tif 000002
【特許請求の範囲】
【請求項１】
クライアント端末及び問題点情報サーバーにより薬剤の問題点情報を提供する薬剤の問題点情報提供システムであって、
前記クライアント端末は、問題点情報の取得を希望する薬剤の情報を通信回線を介して送信する薬剤情報送信手段を備え、
前記問題点情報サーバーは、把握にあたり客観的な検査値データ及び医師の診断による副作用症状が不可欠である客観的問題点の情報を登録する客観的問題点情報登録手段と、
把握にあたり客観的な検査値データ及び医師の診断による副作用症状が必ずしも不可欠では無い主観的問題点の情報を登録する主観的問題点情報登録手段と、
所定の問題点情報を登録する特定問題点情報登録手段と、
前記薬剤情報送信手段によって送信された薬剤の情報を受信し、前記客観的問題点情報登録手段及び前記主観的問題点情報登録手段に登録されている客観的問題点及び主観的問題点の情報から、送信された前記薬剤の情報に関連付けられた客観的問題点及び主観的問題点の検索を行う問題点情報検索手段と、
前記特定問題点情報登録手段に登録されている所定の問題点情報から、前記問題点情報検索手段によって検索された客観的問題点または主観的問題点の情報に関連付けられた所定の問題点情報の検索を行う特定問題点情報検索手段と、
前記問題点情報検索手段の検索結果を、それが客観的問題点または主観的問題点のいずれに該当するのか把握できる状態で出力すると共に、前記特定問題点情報検索手段によって検索された所定の問題点を出力する検索結果出力手段とを備える
薬剤の問題点情報提供システム。
【請求項２】
問題点情報サーバーにより薬剤の問題点情報を提供する薬剤の問題点情報提供システムであって、
前記問題点情報サーバーは、把握にあたり客観的な検査値データ及び医師の診断による副作用症状が不可欠である客観的問題点の情報を登録する客観的問題点情報登録手段と、
把握にあたり客観的な検査値データ及び医師の診断による副作用症状が必ずしも不可欠では無い主観的問題点の情報を登録する主観的問題点情報登録手段と、
所定の問題点情報を登録する特定問題点情報登録手段と、
問題点情報の取得を希望する薬剤の情報に基づいて前記客観的問題点情報登録手段及び前記主観的問題点情報登録手段に登録されている客観的問題点及び主観的問題点の情報から、問題点情報の取得を希望する前記薬剤の情報に関連付けられた客観的問題点及び主観的問題点の検索を行う問題点情報検索手段と、
前記特定問題点情報登録手段に登録されている所定の問題点情報から、前記問題点情報検索手段によって検索された客観的問題点または主観的問題点の情報に関連付けられた所定の問題点情報の検索を行う特定問題点情報検索手段と、
前記問題点情報検索手段の検索結果を、それが客観的問題点または主観的問題点のいずれに該当するのか把握できる状態で出力すると共に、前記特定問題点情報検索手段によって検索された所定の問題点を出力する検索結果出力手段とを備える
薬剤の問題点情報提供システム。
【請求項３】
前記客観的問題点は精神神経系及び消化器系を除く問題点であり、
前記主観的問題点は精神神経系及び消化器系の問題点である
請求項１または請求項２に記載の薬剤の問題点情報提供システム。
【請求項４】
前記所定の問題点は、薬剤の投与を中止する必要のある問題点または医師の適切な処置を必要とする問題点である
請求項１、請求項２または請求項３に記載の薬剤の問題点情報提供システム。
【発明の詳細な説明】
【技術分野】
【０００１】
本発明は薬剤の問題点情報提供システムに関する。詳しくは、問題点情報サーバーにより薬剤の問題点情報を提供する薬剤の問題点情報提供システムに係るものである。
【背景技術】
【０００２】
一般に、薬剤師による薬剤の副作用や相互作用等の把握、即ち薬剤師による薬剤の問題点の把握は、薬剤メーカーが作成し薬剤に添付をしている添付文書に基づいて行われている。
即ち、薬の服用者である患者から得られるねむけ、頭痛、吐き気などの情報、医師の診断による副作用症状及び患者の検査値から得られるＡＳＴ（ＧＯＴ）上昇、血圧上昇などの情報から添付文書に基づいて薬剤の問題点の把握が行われている。
【０００３】
なお、問題点によっては、その症状に応じて、直ちに薬剤の投与を中止する必要があるものや、医師の適切な処置を必要とするものもあり、薬剤の問題点と関連する所定事項についても薬剤の問題点を把握するにあたって極めて重要であるために、これらの情報についても添付文書に記載がなされている。
【発明の開示】
【発明が解決しようとする課題】
【０００４】
しかしながら、添付文書には患者から得られる情報から把握が可能である問題点及び把握にあたって患者の検査値及び医師の診断による副作用症状が必要な問題点が混在して記載がなされており、添付文書に基づき薬剤の問題点を把握することは容易ではなかった。
【０００５】
本発明は、以上の点に鑑みて創案されたものであって、薬剤の問題点の把握を容易に行うことが可能である薬剤の問題点情報提供システムを提供することを目的とするものである。
【課題を解決するための手段】
【０００６】
上記の目的を達成するために、本発明に係る薬剤の問題点情報提供システムは、クライアント端末及び問題点情報サーバーにより薬剤の問題点情報を提供する薬剤の問題点情報提供システムであって、前記クライアント端末は、問題点情報の取得を希望する薬剤の情報を通信回線を介して送信する薬剤情報送信手段を備え、前記問題点情報サーバーは、把握にあたり客観的な検査値データ及び医師の診断による副作用症状が不可欠である客観的問題点の情報を登録する客観的問題点情報登録手段と、把握にあたり客観的な検査値データ及び医師の診断による副作用症状が必ずしも不可欠では無い主観的問題点の情報を登録する主観的問題点情報登録手段と、所定の問題点情報を登録する特定問題点情報登録手段と、前記薬剤情報送信手段によって送信された薬剤の情報を受信し、前記客観的問題点情報登録手段及び前記主観的問題点情報登録手段に登録されている客観的問題点及び主観的問題点の情報から、送信された前記薬剤の情報に関連付けられた客観的問題点及び主観的問題点の検索を行う問題点情報検索手段と、前記特定問題点情報登録手段に登録されている所定の問題点情報から、前記問題点情報検索手段によって検索された客観的問題点または主観的問題点の情報に関連付けられた所定の問題点情報の検索を行う特定問題点情報検索手段と、前記問題点情報検索手段の検索結果を、それが客観的問題点または主観的問題点のいずれに該当するのか把握できる状態で出力すると共に、前記特定問題点情報検索手段によって検索された所定の問題点を出力する検索結果出力手段とを備える。
【０００７】
ここで、問題点情報の取得を希望する薬剤の情報を通信回線を介して送信する薬剤情報送信手段によって、問題点情報サーバーにおいて検索の対象とすべき薬剤の特定が可能となる。
また、把握にあたり客観的な検査値データ及び医師の診断による副作用症状が不可欠である客観的問題点の情報を登録する客観的問題点情報登録手段及び把握にあたり客観的な検査値データ及び医師の診断による副作用症状が必ずしも不可欠では無い主観的問題点の情報を登録する主観的問題点情報登録手段によって、取得を希望する薬剤の情報に基づき検索を行う際の被検索データを構成している。
更に、所定の問題点情報を登録する特定問題点情報登録手段によって、客観的問題点または主観的問題点の情報に基づいて検索を行う際の被検索データを構成している。
また、薬剤情報送信手段によって送信された薬剤の情報を受信し、客観的問題点情報登録手段及び主観的問題点情報登録手段に登録されている客観的問題点及び主観的問題点の情報から、薬剤情報送信手段によって送信された薬剤の情報に関連付けられた客観的問題点及び主観的問題点の検索を行う問題点情報検索手段によって、検索の対象とされた薬剤の問題点（客観的問題点及び主観的問題点）を検索する。
また、特定問題点情報登録手段に登録されている所定の問題点情報から、問題点情報検索手段によって検索された客観的問題点または主観的問題点の情報に関連付けられた所定の問題点情報の検索を行う特定問題点情報検索手段によって、検索対象とされた薬剤の問題点に関連する所定事項を検索する。
また、問題点情報検索手段の検索結果を、それが客観的問題点または主観的問題点のいずれに該当するのか把握できる状態で出力すると共に、特定問題点情報検索手段によって検索された所定の問題点を出力する検索結果出力手段によって、検索の対象とされた薬剤の問題点及び検索の対象とされた薬剤の問題点の関連する所定事項を出力する。
なお、検索の対象とされた薬剤の問題点のみならず薬剤の問題点に関連する所定事項まで、検索及び出力の対象としているのは、薬剤の問題点に関する極めて重要な事項について本システム上で出力することによって、添付文書が果たす機能と同等の薬剤の問題点の把握を行うためである。即ち、薬剤の問題点の把握という点で、添付文書と同等の機能を本システムで実現するために、添付文書で記載されている薬剤の問題点に関連する所定事項についても検索及び出力の対象としているのである。
【０００８】
また、本発明に係る薬剤の問題点情報提供システムは、問題点情報サーバーにより薬剤の問題点情報を提供する薬剤の問題点情報提供システムであって、前記問題点情報サーバーは、把握にあたり客観的な検査値データ及び医師の診断による副作用症状が不可欠である客観的問題点の情報を登録する客観的問題点情報登録手段と、把握にあたり客観的な検査値データ及び医師の診断による副作用症状が必ずしも不可欠では無い主観的問題点の情報を登録する主観的問題点情報登録手段と、所定の問題点情報を登録する特定問題点情報登録手段と、問題点情報の取得を希望する薬剤の情報に基づいて前記客観的問題点情報登録手段及び前記主観的問題点情報登録手段に登録されている客観的問題点及び主観的問題点の情報から、問題点情報の取得を希望する前記薬剤の情報に関連付けられた客観的問題点及び主観的問題点の検索を行う問題点情報検索手段と、前記特定問題点情報登録手段に登録されている所定の問題点情報から、前記問題点情報検索手段によって検索された客観的問題点または主観的問題点の情報に関連付けられた所定の問題点情報の検索を行う特定問題点情報検索手段と、前記問題点情報検索手段の検索結果を、それが客観的問題点または主観的問題点のいずれに該当するのか把握できる状態で出力すると共に、前記特定問題点情報検索手段によって検索された所定の問題点を出力する検索結果出力手段とを備える。
【０００９】
ここで、問題点情報の取得を希望する薬剤の情報に基づいて客観的問題点情報登録手段及び主観的問題点情報登録手段に登録されている客観的問題点及び主観的問題点の情報から、問題点情報の取得を希望する薬剤に関連付けられた客観的問題点及び主観的問題点の検索を行う問題点情報検索手段によって、検索の対象である問題点情報の取得を希望する薬剤の問題点を検索する。
【発明の効果】
【００１０】
本発明の薬剤の問題点情報提供システムによれば、薬剤の問題点の把握を容易に行うことが可能となる。
また、薬剤の問題点を充分に把握するにあたって必要であり、添付文書でも記載がなされている所定事項についても出力を行うことによって、薬剤の問題点の把握という点において、添付文書と同等の機能を有する。
【発明を実施するための最良の形態】
【００１１】
以下、本発明の実施の形態を図面を参照しながら説明し、本発明の理解に供する。
【００１２】
図１に本発明を適用した薬剤の問題点情報提供システムの一例を説明するための模式図を示す。ここで示すクライアント端末１はＬＡＮ（Local Area Network）接続２を利用して問題点情報サーバー３と相互に通信が可能であるように構成されている。
ここで、クライアント端末と問題点情報サーバーの通信は、クライアント端末が問題点情報サーバーにアクセスすることが可能であれば充分であり、必ずしもＬＡＮ接続を利用する必要は無いのであって、インターネット接続等を利用しても良い。
【００１３】
ここで、クライアント端末は、薬剤情報送信手段４を有し、薬剤情報送信手段はユーザーが問題点情報の取得を希望する薬剤の名称を問題点情報サーバーに検索情報として送信できるように構成されている。
【００１４】
なお、薬剤情報送信手段によって送信される検索情報は、ユーザーが問題点情報の取得を希望する薬剤が特定されれば充分であり、必ずしも薬剤の名称を送信する必要はないのであって、例えば、薬剤の特定が可能である記号等であっても構わない。
【００１５】
また、問題点情報サーバーは、ＳｕｂｊｅｃｔｉｏｎＤａｔａ（以下、Ｓデータと言う。）５、ＯｂｊｅｃｔｉｏｎＤａｔａ（以下、Ｏデータと言う。）６、重大問題点データ７、問題点情報検索手段８、重大問題点情報検索手段９及び検索結果出力手段１０を有し、Ｓデータは精神神経系及び消化器系の問題点（医師の診断による副作用症状を除く。以下、同じ）が登録できる様に構成されており、Ｏデータは精神神経系及び消化器系を除く問題点（医師の診断による副作用症状を含む。以下、同じ）が登録できるように構成されている。更に、重大問題点データは、薬剤の投与を中止する必要のある問題点及び医師の適切な処置を必要とする問題点（以下、重大問題点と言う。）を、各重大問題点の詳細説明と共に登録できるように構成されている。
【００１６】
また、問題点情報検索手段はクライアント端末の薬剤情報送信手段によって送信された検索情報に基づいて、Ｓデータ及びＯデータに登録された問題点の中から、ユーザーが取得を希望する薬剤の問題点、即ち、ユーザーが検索の対象とした薬剤の問題点の検索ができるように構成されており、重大問題点情報検索手段は、問題点情報検索手段によって検索された薬剤の問題点に基づいて、その詳細説明中に検索された薬剤の問題点が含まれている重大問題点の検索ができるように構成されている。
更に、検索結果出力手段は薬剤の問題点が精神神経系及び消化器系の問題点または精神神経系及び消化器係を除く問題点のいずれに該当するのか把握できる状態で検索結果を出力すると共に、検索された重大問題点を出力できるように構成されている。
【００１７】
図２に本発明を適用した薬剤の問題点情報提供システムにおけるＳデータを説明するための模式図を示す。ここでＳデータには、「頭痛、めまい、倦怠感、眠気、不眠、脱力感、筋痙攣、四肢しびれ感、悪心・嘔吐、口渇、食欲不振、消化不良」の１２の問題点が登録され、登録された問題点のうち、「頭痛、めまい、倦怠感、眠気、不眠、脱力感、筋痙攣、四肢しびれ感、悪心・嘔吐、口渇、食欲不振」はＡ薬剤と関連付けられ、「頭痛、めまい、眠気、四肢しびれ感、悪心・嘔吐、口渇、食欲不振、消化不良」はＢ薬剤と関連付けられ、「眠気、不眠、筋痙攣、悪心・嘔吐、食欲不振」はＣ薬剤と関連付けられている。
【００１８】
図３に本発明を適用した薬剤の問題点情報提供システムにおけるＯデータを説明するための模式図を示す。ここでＯデータには、「ＡＳＴ（ＧＯＴ）上昇、ＡＬＴ（ＧＰＴ）上昇、Ａｌ−Ｐ上昇、ＢＵＮ上昇、クレアチニン上昇、白血球減少、血圧低下、光線過敏症、便秘、下痢、意識障害、パーキンソン症状、ジスキネジア、欲動亢進、言語障害、歩行障害の悪化、抑うつ、失見当識、躁状態」の１９の問題点が登録され、登録された問題点のうち「ＡＳＴ（ＧＯＴ）上昇、ＡＬＴ（ＧＰＴ）上昇、Ａｌ−Ｐ上昇、ＢＵＮ上昇、クレアチニン上昇、便秘、下痢」はＡ薬剤と関連付けられ、「ＡＳＴ（ＧＯＴ）上昇、ＡＬＴ（ＧＰＴ）上昇、Ａｌ−Ｐ上昇、ＢＵＮ上昇、クレアチニン上昇、白血球減少、便秘、下痢、意識障害、パーキンソン症状、ジスキネジア」はＢ薬剤と関連付けられて、「ＡＳＴ（ＧＯＴ）上昇、ＡＬＴ（ＧＰＴ）上昇、白血球減少、血圧低下、光線過敏症、便秘、下痢、意識障害、欲動亢進、言語障害、歩行障害の悪化、抑うつ、失見当識、躁状態」はＣ薬剤と関連付けられている。
【００１９】
図４は本発明を適用した薬剤の問題点情報提供システムにおける重大問題点データを説明するための模式図を示す。ここで重大問題点データには、「『ＡＳＴ（ＧＯＴ），ＡＬＴ（ＧＰＴ）,γ−ＧＴＰの上昇等に伴う肝機能障害や黄疸があらわれることがあるので、観察を充分に行い、異常が認められた場合には投与を中止し、適切な処置を行うこと』という詳細説明と共に肝機能障害・黄疸、『眼圧亢進があらわれ、急性緑内障発作を惹起し、嘔気、頭痛を伴う眼痛、視力低下等があらわれることがあるので、観察を充分に行い、このような症状があらわれた場合には投与を中止し、直ちに適切な処置を行うこと』という詳細説明と共に急性緑内障発作、『麻痺性イレウスがあらわれることがあるので、観察を充分に行い、著しい便秘、腹部膨満等があらわれた場合には投与を中止し、適切な処置を行うこと』という詳細説明と共に麻痺性イレウス、『筋肉痛、脱力感、ＣＫ（ＣＰＫ）上昇、血中及び尿中ミオグロビン上昇を特徴とする黄紋筋融解症があらわれ、これに伴って急性腎不全等の重篤な腎障害があらわれることがあるので、このような場合には直ちに投与を中止すること』という詳細説明と共に黄紋筋融解症、『血小板減少があらわれることがあるので、このような場合には投与を中止し適切な処置を行うこと』という詳細説明と共に血小板減少」の５つの重大問題点が登録されている。
【００２０】
上記の様に構成された薬剤の問題点情報提供システムの一例においては、先ず、ユーザーが問題点情報の取得を希望する薬剤の名称（ここでは、「Ａ薬剤」の問題点情報の取得を希望するとして説明を行う）をクライアント端末の薬剤情報送信手段を用いてＬＡＮ接続を介して問題点情報サーバーに送信する。
【００２１】
クライアント端末から検索情報である「Ａ薬剤」を受信した問題点情報サーバーでは、問題点情報検索手段を用いてＳデータ及びＯデータに登録された問題点の中から「Ａ薬剤」に関連付けられた薬剤の問題点の検索を行う。
【００２２】
問題点情報検索手段による検索の結果、Ｓデータから「頭痛、めまい、倦怠感、眠気、不眠、脱力感、筋痙攣、四肢しびれ感、悪心・嘔吐、口渇、食欲不振」が検索され、Ｏデータから「ＡＳＴ（ＧＯＴ）上昇、ＡＬＴ（ＧＰＴ）上昇、Ａｌ−Ｐ上昇、ＢＵＮ上昇、クレアチニン上昇、便秘、下痢」が検索される。
【００２３】
次に、重大問題点情報検索手段を用いて、その詳細説明中に問題点情報検索手段による検索結果である各薬剤の問題点を含む重大問題点の検索を行う。
【００２４】
重大問題点情報検索手段による検索の結果、「ＡＳＴ（ＧＯＴ）上昇」及び「ＡＬＴ（ＧＰＴ）上昇」という問題点情報検索手段による検索の結果である薬剤の問題点を含む「肝機能障害、黄疸」が検索される。
【００２５】
上記した、問題点情報検索手段及び重大問題点情報検索手段によって検索が行われた後に、検索結果出力手段によって図５に示す様な検索結果を出力する。
即ち、各々の薬剤の問題点がＳデータに登録された問題点（精神神経系及び消化器系の問題点）であるかＯデータに登録された問題点（精神神経系及び消化器系を除く問題点）であるのかが把握できる状態で、かつ、重大問題点と併せた状態で出力する。
【００２６】
検索結果が出力されると、検索結果に基づいて薬剤師がＡ薬剤の問題点について調査を行う。
即ち、検索結果に出力されたＳデータに登録された問題点については各症状について患者から直接情報を得ることによって調査を行い、Ｏデータに登録された問題点については各症状について患者の検査値データや看護記録等の客観的情報を参酌して調査を行うことによってＡ薬剤の問題点について調査を行う。
【００２７】
本発明を適用した薬剤の問題点情報提供システムでは、Ａ薬剤の問題点を調査するにあたって、各々の薬剤の問題点が精神神経系及び消化器系の問題点であるのか精神神経系及び消化器系を除く問題点であるのか把握できるために、問題点の調査方法が容易に判断でき、Ａ薬剤の問題点の有無の調査が容易にできる。
【００２８】
また、薬剤の問題点と併せて、Ａ薬剤の問題点を充分に把握するのに不可欠である情報、即ち、直ちに薬剤の投与を中止する必要がある問題点や医師の適切な処置を必要とする問題点の情報についても把握することができる。
【００２９】
図６は本発明を適用した薬剤の問題点情報提供システムの他の一例のシステム構成を説明するための模式図を示す。ここで示すパーソナルコンピューター１１（以下、ＰＣと言う）はキーボード１２及びプリンタ１３が接続されており、ＰＣはＳデータ５、Ｏデータ６、重大問題点データ７、問題点情報検索手段８、重大問題点情報検索手段９を有する。
【００３０】
ここで、Ｓデータ及びＯデータは、上記した本発明を適用した薬剤の問題点情報提供システムの一例と同様に薬剤の問題点が登録されると共に、Ａ薬剤、Ｂ薬剤及びＣ薬剤と薬剤の問題点が関連付けられている。また、重大問題点データには、上記した本発明を適用した薬剤の問題点情報提供システムの一例と同様に重大問題点が登録されている。
更に、入力手段はユーザーが問題点情報の取得を希望する薬剤を特定できるような検索情報を入力することができるのであればいかなる入力手段であっても良く、必ずしもキーボードである必要は無い。
また、出力手段は検索結果である薬剤の問題点及び重大問題点を出力することによりユーザーに検索結果を通知することができるのであればいかなる出力手段であっても良く、必ずしもプリンタである必要は無い。
【００３１】
上記の様に構成された薬剤の問題点情報提供システムの他の一例においては、先ず、ユーザーがキーボードにより問題点情報の取得を希望する薬剤の名称（ここでは、「Ｂ薬剤」の問題点情報の取得を希望するとして説明を行う）を入力する。
【００３２】
検索条件である「Ｂ薬剤」がキーボードから入力されると、問題点情報検索手段によりＳデータ及びＯデータに登録された問題点の中から「Ｂ薬剤」に関連付けられた問題点の検索を行う。
【００３３】
問題点情報検索手段による検索の結果、Ｓデータから「頭痛、めまい、眠気、四肢しびれ感、悪心・嘔吐、口渇、食欲不振、消化不良」が検索され、Ｏデータから「ＡＳＴ（ＧＯＴ）上昇、ＡＬＴ（ＧＰＴ）上昇、Ａｌ−Ｐ上昇、ＢＵＮ上昇、クレアチニン上昇、白血球減少、便秘、下痢、意識障害、パーキンソン症状、ジスキネジア」が検索される。
【００３４】
次に、重大問題点譲歩検索手段を用いて、その詳細説明中に問題点情報検索手段による検索結果である各薬剤の問題点を含む重大問題点の検索を行う。
【００３５】
重大問題点情報検索手段による検索の結果、「頭痛」という問題点情報検索手段による検索の結果である薬剤の問題点を含む「急性緑内障発作」と、「便秘」という問題点情報検索手段による検索の結果である薬剤の問題点を含む「麻痺性イレウス」が検索される。
【００３６】
上記した、問題点情報検索手段及び重大問題点情報検索手段によって検索が行われた後に、プリンタによって図７に示す様な検索結果を印刷する。
【００３７】
本発明を適用した薬剤の問題点情報提供システムでは、Ｂ薬剤の問題点を調査するにあたって、各々の薬剤の問題点が精神神経系及び消化器系の問題点であるのか精神神経系及び消化器系を除く問題点であるのか把握できるために、問題点の調査方法が容易に判断でき、Ｂ薬剤の問題点の有無の調査が容易にできる。
【００３８】
また、薬剤の問題点と併せて、Ｂ薬剤の問題点を充分に把握するのに不可欠である情報についても把握することができる。
【図面の簡単な説明】
【００３９】
【図１】本発明を適用した薬剤の問題点情報提供システムの一例を説明するための模式図である。
【図２】本発明を適用した薬剤の問題点情報提供システムにおけるＳデータを説明するための模式図である。
【図３】本発明を適用した薬剤の問題点情報提供システムにおけるＯデータを説明するための模式図である。
【図４】本発明を適用した薬剤の問題点情報提供システムにおける重大問題点データを説明するための模式図である。
【図５】本発明を適用した薬剤の問題点情報提供システムにおける検索結果の一例を示す模式図である。
【図６】本発明を適用した薬剤の問題点情報提供システムの他の一例を説明するための模式図である。
【図７】本発明を適用した薬剤の問題点情報提供システムにおける検索結果の他の一例を示す模式図である。
【符号の説明】
【００４０】
１  クライアント端末
２  ＬＡＮ接続
３  問題情報サーバー
４  薬剤情報送信手段
５  Ｓデータ
６  Ｏデータ
７  重大問題点データ
８  問題点情報検索手段
９  重大問題点情報検索手段
１０  検索結果出力手段
１１  ＰＣ
１２  キーボード
１３  プリンタ
【図１】
2005122244.tif 000003
【図２】
2005122244.tif 000004
【図３】
2005122244.tif 000005
【図４】
2005122244.tif 000006
【図５】
2005122244.tif 000007
【図６】
2005122244.tif 000008
【図７】
2005122244.tif 000009